(57)【要約】【課題】小型化が可能で、かつ組立作業性の良いズームダイヤル機構１０を提供すること。【解決手段】ベースプレート２０と、ベースプレート２０の中心孔２０ａに時計方向及び反時計方向へ回動可能に組み付けられ、回動方向と回動量に応じて電動ズームレンズのズーム動作を設定するズームダイヤル３０と、ズームダイヤルの中心穴３３に進退可能に組み付けられたプッシュノブ５０とを備えたズームダイヤル機構１０であって、ベースプレート２０に円弧溝２３を中心孔２０ａの外側に形成し、円弧溝２３にコイルばね７０を装着し、ズームダイヤル３０にコイルばね７０の一端に当接する第１リブ３６とコイルばね７０の他端に当接する第２リブ３７を固設し、ズームダイヤル３０を時計方向へ回動したとき第１リブ３６でコイルばね７０が圧縮され、ズームダイヤル３０を反時計方向へ回動したとき第２リブ３７でコイルばね７０が圧縮されるように構成する。【選択図】図１
2010176931.tif 000002
【特許請求の範囲】
【請求項１】
ベースプレートと、ベースプレートの中心孔に時計方向及び反時計方向へ回動可能に組み付けられ、回動方向と回動量に応じて電動ズームレンズのズーム動作を設定するズームダイヤルと、ベースプレートに取り付けられズームダイヤルを回動中立位置方向へ付勢するばねと、ズームダイヤルに形成した中心穴に進退可能に組み付けられたプッシュノブとを備えたズームダイヤル機構であって、
前記ベースプレートに前記中心孔と略同心の円弧形状を有する円弧溝を前記中心孔の外側に形成し、該円弧溝にコイルばねを装着し、
前記ズームダイヤルに前記コイルばねの一端に当接する第１リブとコイルばねの他端に当接する第２リブを固設し、
ズームダイヤルを時計方向へ回動したとき第１リブでコイルばねが圧縮され、ズームダイヤルを反時計方向へ回動したとき第２リブでコイルばねが圧縮されるようにしたことを特徴とする。
【請求項２】
前記ベースプレートの反円弧溝側にストッパ凸片を形成し、前記ズームダイヤルに、ストッパ凸片に当接してズームダイヤルの時計方向の回動量を規制する第１ストッパ片とストッパ凸片に当接してズームダイヤルの反時計方向の回動量を規制する第２ストッパ片を形成したことを特徴とする請求項１に記載のズームダイヤル機構。
【発明の詳細な説明】
【技術分野】
【０００１】
本発明は、電動ズームレンズのズーム動作を設定するズームダイヤル機構に関し、特に電動ズームレンズを備えた資料提示装置に用いるに好適なズームダイヤル機構に関する。
【背景技術】
【０００２】
資料提示装置は基台に立設した支柱の先端部にカメラヘッドを設け、書類や模型等の資料をこのカメラヘッドで撮像し、撮像をモニターテレビで再生したり、ビデオプロジェクターでスクリーンに投影するものである。
資料提示装置の一形式として、特開２００７−１９４８８４号公報には、図８に示すように基台１０１から支柱１０２を立設し、この支柱１０２先端にカメラヘッド１０３を取り付けた資料提示装置１００が開示されている。
【０００３】
この資料提示装置１００では、支柱１０２が基台１０１から直立する直立部１０２ａと、直立部１０２ａから連続して水平に基台１０１の前方へ延びる水平部１０２ｂを有し、水平部１０２ｂの先端に円筒形のカメラヘッド１０３を設けている。このカメラヘッドの先端部下面には電動ズームレンズ１０４が組み込まれている。また、カメラヘッド１０３の基端部にズームダイヤル機構２００が組み込まれ、カメラヘッド１０３の内部に電動ズームレンズ１０４のズーム機構やオートフォーカス機構及びそれらの制御回路が内蔵されている。
【０００４】
この資料提示装置では、資料を基台１０１の前面に近接するように装置設置面上に置き、ズームダイヤル２０１を回動操作して電動ズームレンズ１０４の画角を調整し、ズームダイヤル２０１の中心部に設けたプッシュノブ２０２を押してオートフォーカス機構を作動させ、資料を撮像する。
【０００５】
ところで、上記ズームダイヤル機構２００は図９に示すように、ベースプレート２０３と、ベースプレート２０３の中心孔２０３ａ（図１０参照）に時計方向及び反時計方向へ回動可能に組み付けられ、回動方向と回動量に応じて電動ズームレンズ１０４のズーム動作を設定するズームダイヤル２０１と、ズームダイヤル２０１に形成した中心穴２０１ａに進退可能に組み付けたオートフォーカス用プッシュノブ２０２とを備えている。
【０００６】
このズームダイヤル機構では、図１０に示すようにベースプレート２０３の中心孔２０３ａの周囲３箇所に突起２０３ｂ，２０３ｃ，２０３ｄを設け、この突起２０３ｂ，２０３ｃ，２０３ｄにズームダイヤル２０１を回動中立位置へ付勢するねじりばね２０４を取り付けている。このねじりばね２０４はベースプレート２０３の中心孔２０３ａを取り囲むように配置されている。そして、ねじりばね２０４の一端２０４ａにズームダイヤル２０１に設けた第１リブ２０１ｂが係止され、ねじりばね２０４の他端２０４ｂにズームダイヤル２０１の第２リブ２０１ｃが係止される。ズームダイヤル２０１を時計方向に回動操作すると第１リブ２０１ｂによってねじりばね２０４の一端２０４ａが時計方向に延びる。指を離してダイヤル操作を停止すると、延びていたねじりばね２０４の一端２０４ａが収縮してズームダイヤル２０１が中立位置に復帰する。ズームダイヤル２０１を反時計方向に回動操作すると第２リブ２０１ｃによってねじりばね２０４の他端２０４ｃが反時計方向に延び、ダイヤル操作を停止するとズームダイヤル２０１が中立位置に復帰する。
【先行技術文献】
【特許文献】
【０００７】
【特許文献１】特開２００７−１９４８８４号公報
【発明の概要】
【発明が解決しようとする課題】
【０００８】
上記した従来のズームダイヤル機構２００は、ベースプレート２０３の中心孔２０３ａよりも径の大きいねじりばね２０４を用い、中心孔２０３ａを取り囲むようにねじりばね２０４をベースプレート２０３に取り付けているため、中心孔２０３ａの周囲にねじりばね２０４を取り付けるためのスペースを要し、そのためベースプレート２０３のサイズが大きくなり、ズームダイヤル機構２００の小型化が困難であった。
また、ねじりばね２０４のピン状の端部２０４ａ，２０４ｂとリブ２０１ｂ，２０１ｃとの係止が外れ易く、作動不良の原因となるおそれがあるだけでなく、ピン状端部２０４ａ，２０４ｂにリブ２０１ｂ，２０１ｃが係止するように慎重にベースプレート２０３とズームダイヤル２０１を組み立てなければならず、組付作業性が悪い。
本発明はかかる問題点に鑑み、小型化が可能で、かつ組立作業性の良いズームダイヤル機構を提供することを目的とする。
【課題を解決するための手段】
【０００９】
請求項１に記載の発明は、ベースプレートと、ベースプレートの中心孔に時計方向及び反時計方向へ回動可能に組み付けられ、回動方向と回動量に応じて電動ズームレンズのズーム動作を設定するズームダイヤルと、ベースプレートに取り付けられズームダイヤルを回動中立位置方向へ付勢するばねと、ズームダイヤルに形成した中心穴に進退可能に組み付けられたプッシュノブとを備えたズームダイヤル機構であって、前記ベースプレートに前記中心孔と略同心の円弧形状を有する円弧溝を前記中心孔の外側に形成し、該円弧溝にコイルばねを装着し、前記ズームダイヤルに前記コイルばねの一端に当接する第１リブとコイルばねの他端に当接する第２リブを固設し、ズームダイヤルを時計方向へ回動したとき第１リブでコイルばねが圧縮され、ズームダイヤルを反時計方向へ回動したとき第２リブでコイルばねが圧縮されるようにしたことを特徴とする。
【００１０】
請求項２に記載の発明は、請求項１に記載のズームダイヤル機構において、前記ベースプレートの反円弧溝側にストッパ凸片を形成し、前記ズームダイヤルに、ストッパ凸片に当接してズームダイヤルの時計方向の回動量を規制する第１ストッパ片とストッパ凸片に当接してズームダイヤルの反時計方向の回動量を規制する第２ストッパ片を形成したことを特徴とする。
【発明の効果】
【００１１】
請求項１に記載の発明に係るズームダイヤル機構では、ズームダイヤルを時計方向へ回動したとき第１リブでコイルばねが圧縮され、ズームダイヤルを反時計方向へ回動したとき第２リブでコイルばねが圧縮される、そして、ズームダイヤルから指を離してズーム操作を停止すると、圧縮したコイルばねが伸長してズームダイヤルが回動中立位置に復帰する。
【００１２】
請求項１に記載の発明によれば、中心孔と同心の円弧溝にコイルばねを装着したので、ねじりばねを用いた従来のズームダイヤル機構に比べばねの設置スペースが少なくて済み、ズームダイヤル機構の小型化が可能となる。
また、コイルばねを円弧溝に装填することにより装着するので、組付作業性が良い。
【００１３】
請求項２に記載の発明によれば、第１ストッパ片又は第２ストッパ片でズームダイヤルの回動量を規制するので、コイルばねの復元力が過大になって操作感が悪化するのを防止できる。
【図面の簡単な説明】
【００１４】
【図１】本発明の一実施例に係るズームダイヤル機構を示す側面図である。
【図２】図１のＢ−Ｂ線切断断面図である。
【図３】本発明の一実施例に係るズームダイヤル機構のベースプレートを示す斜視図である。
【図４】同ズームダイヤル機構のズームダイヤルを示す斜視図である。
【図５】同ズームダイヤル機構の円形プレートを示す斜視図である。
【図６】図１のＡ−Ａ線切断断面図である。
【図７】図１のＡ−Ａ線切断断面図である。
【図８】従来のズームダイヤル機構を備えた資料提示装置を示す斜視図である。
【図９】従来のズームダイヤル機構を示す斜視図である。
【図１０】従来のズームダイヤル機構のベースプレートを示す平面図である。
【実施例１】
【００１５】
以下に本発明を図面に基づき説明するに、図１及び図２には本発明の一実施例に係るズームダイヤル機構１０が示されている。当該ズームダイヤル機構１０はベースプレート２０、ズームダイヤル３０、プッシュノブ５０及び円形プレート６０を備えている。
【００１６】
ベースプレート２０は図３に示すように、略円形の外形を有し、中心部に中心孔２０ａが形成され、中心孔２０ａと同心の円弧形のガイドスリット２０ｂが形成さている。また、ベースプレート２０の内面には中心孔２０ａと同心に内外２個の円弧片２１，２２が凸設され、両円弧片２１，２２で中心孔２０ａと同心の円弧溝２３が区画形成されている。円弧片２１端部にはそれぞれ溝２３の内側へ屈折する第１係止部２１ａと第２係止部２１ｂが形成されている。同様に、円弧片２２にも第１係止部２２ａと第２係止部２２ｂが形成され、円弧片２１と円弧片２２の対向する係止部２１ａ，２２及び係止部２１ｂ，２２ｂで第１通路２３ａと第２通路２３ｂが区画形成されている。ガイドスリット２０ｂは円弧溝２３の底面を通過し、円弧溝２３の両端から外側へ延びている。中心孔２０ａの反円弧溝側にはストッパ凸片２４が凸設されている。
一方、ベースプレート２０の外面には図１及び図２に示すように、３本の係止片２５，２６，２７と１本のボス２８が凸設されている。
【００１７】
ズームダイヤル３０は図２及び図４に示すように、外筒３１と、外筒３１の中心部に設けた内筒３２から成る２重筒構造を有し、内筒３２によって中心穴３３が区画形成されている。この中心穴３３の外端側には拡径部３３ａが形成され、内端側には拡径部３３ａから連続する縮径部３３ｂが形成されている。縮径部３３ｂの内端部には４本の係止片３５が凸設され、中心穴３３の中心線方向に延びている。また、外筒３１と内筒３２の中間部には中心穴３３と同心の２本の第１円弧形リブ３６及び第２円弧形リブ３７が設けられている。各リブ３６，３７の一端にはそれぞれ中心穴３３の中心線方向内側へ突出する第１押圧片３８と第２押圧片３９が形成され、両押圧片３８，３９が所定の間隔をあけて対向している。また、各リブ３６，３７の反押圧片側にはそれぞれ径方向に延びる第１ストッパ片４０と第２ストッパ片４１が成形され、両ストッパ片４０，４１が所定の間隔をあけて対向している。
【００１８】
プッシュノブは図２に示すようにヘッド５１と、ヘッド５１から連続する筒軸部５２と、ヘッド５１から延びて筒軸部５２の中心を貫通するプッシュロッド５３から成り、各部が一体成形されている。また、筒軸部５２の内端部には２本の係止爪片５４が筒軸部５２の中心線に関して対称位置に形成されている。
【００１９】
円形プレート６０の中心部には中心孔６１が形成され、中心孔６１と同心の円弧形を有する２個の係止片６２が凸設されている。２個の係止片６２は近接して設けられ、両係止片６２の端部間に隙間６３が形成されている。また、円形プレート６０には４本の係止用スリット６４が形成されている。各係止用スリット６４は中心穴６１と同心の円弧形に形成されている。
【００２０】
本実施例に係るズームダイヤル機構１０を構成するベースプレート２０、ズームダイヤル３０、プッシュノブ５０及び円形プレート６０の構造は以上の通りであって、各部は以下の要領で組み付けられている。図６に示すように、あらかじめベースプレート２０の円弧溝２３にコイルスプリング７０を装填する。コイルスプリングの一端は係止部２１ａ，２２ａに圧接して係止され、他端は係止部２１ｂ，２２ｂに圧接して係止されるので、円弧溝から脱落しないで装着される。
【００２１】
ズームダイヤル３０の中心穴３３にプッシュノブ５０の筒軸部５２を挿入し、プッシュノブ５０の係止爪５４をズームダイヤル３０の内筒３２の内端部に係止させる。これによりプッシュノブ５０がズームダイヤル３０に取り付けられる。取り付けられたプッシュノブ３０はヘッド５１とズームダイヤル３０の中心穴３３の縮径部３３ｂとの間に形成される所定の隙間Ｓ（図２参照）に相当するストロークで中心穴３３に進退可能に組み付けられる。
【００２２】
コイルスプリング７０を装填したベースプレート２０にプッシュノブ５０を組み込んだズームダイヤル３０を被せて両者を組み付ける。その際、ズームダイヤル３０の内筒３２をベースプレート２０の中心孔２０ａに回転可能に嵌合させ、内筒３２の内端部の係止片３５をベースプレート３０の中心孔２０ａから外側へ突出させる。また、ズームダイヤル３０の第１押圧片３８を第１通路２３ａに臨ませ、第２押圧片３９を第２通路２３ｂに臨ませる。さらに、第１押圧片３８と第２押圧片３９をベースプレート２０のガイドスリット２０ｂに摺動可能に嵌合させる。
【００２３】
ベースプレート２０にズームダイヤル３０を被せた後、ベースプレート２０の中心孔２０ａから突出する４個の係止片３５が円形プレート６０の係止用スリット６４に挿入されるように円形プレート６０をベースプレート２０に被せる。そして、係止用スリット６４から外側へ突出する係止片３５を加熱してて押し潰す。これによりズームダイヤル３０がベースプレート２０に一体に組み付けられる。
【００２４】
組み立てられたズームダイヤル機構１０に回路基板８０（図１参照）が取り付けられる。ベースプレート２０の外面に凸設した３個の係止片２５，２６，２７に回路基板８０の一端を係止し、他端側をネジ８１でボス２８に締め付けてベースプレート２０に回路基板８０が固定される。この回路基板８０には電動ズームレンズ１０４のオートフォーカス制御機構の作動をオンオフ制御するオートフォーカススイッチ（図示略）と、ズーム機構のズーム動作を設定するズームスイッチ（図示略）が設けられている。オートフォーカススイッチはプッシュノブ５０を押圧操作してプッシュロッド５３で押圧することにより作動する。また、ズームスイッチにはレバー片が設けられ、ズームスイッチはこのレバー片が円形プレート６０の係止片６２間の隙間６３に係合するように回路基板８０に取り付けられている。ズームダイヤル３０を回動操作すると、ズームダイヤル３０と一体に円形プレート６０が回動し、ズームスイッチのレバー片が回動する。
【００２５】
本実施例に係るズームダイヤル機構１０の構造は以上の通りであって、プッシュノブ５０を押圧操作してオートフォーカススイッチをオンにし、オートフォーカス機構を作動させる。電動ズームレンズ１０４の画角を調整するにはズームダイヤル３０を回動操作する。ズームダイヤル３０を時計方向へ回動したとき第１リブ３６の押圧片３８でコイルばね７０が圧縮され、図７に示すように、ズームダイヤル３０を反時計方向（矢印参照）へ回動したとき第２リブ３７の押圧片３９でコイルばね７０が圧縮される。ズームダイヤル３０の回動に連動して円形プレート６０も回動し、ズームスイッチがオンになり電動ズームレンズが作動する。時計方向にズームダイヤル３０を回動したときズームレンズがワイド側へ駆動され、反時計方向へ回動したときテレ側へ駆動される。また、回動量に応じてワイド側又はテレ側への駆動速度が変化し、回動量が大きいほど早く駆動される。
【００２６】
ズームダイヤル３０から指を離してズーム操作を停止すると、圧縮したコイルばね７０が伸長してズームダイヤル３０が図１に示す回動中立位置に復帰する。この位置ではズームスイッチがオフになりズーム機構の作動が停止される。
【００２７】
ズームダイヤル３０の時計方向への回動はズームダイヤル３０の第１ストッパ片４０がベースプレート２０のストッパ突起片２４に当接して規制され、それ以上時計方向へは回動しなくなる。同様に、ズームダイヤル３０の反時計方向の回動は図７に示すように第２ストッパ片４１がストッパ突起片２４に当接して規制される。
【００２８】
本実施例に係るズームダイヤル機構１０によれば、中心孔２０ａと同心の円弧溝２３にコイルばね７０を装着したので、ねじりばねを用いた従来のズームダイヤル機構に比べばねの設置スペースが少なくて済み、ズームダイヤル機構１０の小型化が可能となる。
【００２９】
コイルばね７０を円弧溝２３に装填するだけでべースプレート２０に装着できるので、組付作業性が良い。
【００３０】
係止片３５を押し潰すことによりズームダイヤル３０、コイルばね７０、プッシュノブ５０、ベースプレート２０及び円形プレート６０が一体に組み付けられ、ネジ等の締結手段を要しないので、組み付け作業性がよく製造コストを低減できる。
【００３１】
第１ストッパ片４０又は第２ストッパ片４１でズームダイヤル３０の回動量を規制するので、コイルばね７０の復元力が過大になって操作感が悪化するのを防止できる。
【符号の説明】
【００３２】
１０…ズームダイヤル機構
２０…ベースプレート
２０ａ…中心孔
２１，２２…円弧片
２１ａ，２２ａ…第１係止部
２１ｂ，２２ｂ…第２係止部
２３…円弧溝
２４…ストッパ凸片
３０…ズームダイヤル
３１…外筒
３２…内筒
３３…中心穴
３５…係止片
３６…第１円弧形リブ
３７…第２円弧形リブ
３８…第１押圧片
３９…第２押圧片
４０…第１ストッパ片
４１…第２ストッパ片
５０…プッシュノブ
５３…プッシュロッド
６０…円形プレート
６２…係止片
７０…コイルばね
【図１】
2010176931.tif 000003
【図２】
2010176931.tif 000004
【図３】
2010176931.tif 000005
【図４】
2010176931.tif 000006
【図５】
2010176931.tif 000007
【図６】
2010176931.tif 000008
【図７】
2010176931.tif 000009
【図８】
2010176931.tif 000010
【図９】
2010176931.tif 000011
【図１０】
2010176931.tif 000012